(57)【要約】【課題】乳幼児等が誤って開いた蓋の上に乗ってしまった場合等でも、蓋の軸体や軸体の周辺部分が破損する事態を有効に防止し得る蓋付き容器を提供する。【解決手段】容器２と容器２に軸支された蓋８とを備え、蓋８は、連結部８ｂと一対の軸体１０とを有し、容器２には、軸体１０が嵌合される軸受け孔１２と蓋８が開かれた際に蓋８と当接して蓋８の最大開度を決定する当接部とが形成され、軸体１０には、その先端部に傾斜面１０ａが形成され、軸体１０は、傾斜面１０ａが軸受け孔１２の開口端に位置し、かつ、蓋８に対して蓋８の最大開度を超えて押し開かれる力が加わった際に、容器２の当接部１４を支点として軸体１０に作用する力の作用方向に傾斜面１０ａが向くように軸受け孔１２に嵌合されており、連結部８ｂは、その一部が弾性材料からなる薄板によって構成され、弾性的に撓み変形するように構成されている蓋付き容器１。【選択図】図１Ｂ
2010052796.tif 000002
【特許請求の範囲】
【請求項１】
被収納物が収納される内部空間及び前記被収納物の取出口が形成された容器と、前記容器に対して回動自在に軸支され、ヒンジ機構で前記取出口を開閉可能とする蓋と、を備え、
前記蓋は、蓋本体を前記容器に連結させる連結部と、前記連結部に突設された、前記ヒンジ機構を構成する一対の軸体と、を有し、
前記容器には、前記軸体が回動自在に嵌合される軸受け孔と、前記蓋が開かれた際に前記蓋と当接して前記蓋の最大開度を決定する当接部と、が形成され、
前記軸体には、その先端部に軸方向に対して傾斜する傾斜面が形成され、
前記軸体は、前記傾斜面が前記軸受け孔の開口端に位置し、かつ、前記蓋に対して前記蓋の最大開度を超えて押し開かれる力が加わった際に、前記容器の前記当接部を支点として前記軸体に作用する力の作用方向に前記傾斜面が向くように、前記軸受け孔に嵌合されており、
前記連結部は、その一部が弾性材料からなる薄板によって構成され、前記蓋に対して前記力が加わった際に、弾性的に撓み変形するように構成されている蓋付き容器。
【請求項２】
前記連結部が、前記薄板によって構成され、弾性的に撓み変形するように構成された連結板部と、前記連結板部の側縁に起立するように連設された一対の支持板部と、を有し、
前記軸体が、前記支持板部に突設されている請求項１に記載の蓋付き容器。
【請求項３】
前記連結部は、前記連結板部と前記支持板部とのコーナーに配置された、前記支持板部を補強する補強リブを備えている請求項２に記載の蓋付き容器。
【請求項４】
前記蓋は、その裏面にキャラクターが表示されている請求項１〜３のいずれか一項に記載の蓋付き容器。
【発明の詳細な説明】
【技術分野】
【０００１】
本発明は、例えば、ウエットティシュ等の容器として好適に用いられる、被収納物が収納される内部空間及び被収納物の取出口が形成された容器と、容器に対して回動自在に軸支され、ヒンジ機構で取出口を開閉可能とする蓋と、を備えた蓋付き容器に関するものである。
【背景技術】
【０００２】
従来、ウエットティシュ等の容器として、被収納物が収納される内部空間及び被収納物の取出口が形成された容器と、容器に対して回動自在に軸支され、ヒンジ機構で取出口を開閉可能とする蓋と、を備えた蓋付き容器が用いられている（例えば、特許文献１又は２を参照。）。
【０００３】
一般に、前記蓋付き容器においては、蓋に一対の軸体が突設されるとともに、容器には前記軸体に対応する一対の軸受け孔が形成されており、前記軸体が前記軸受け孔に嵌合されている。このような構造により、蓋は容器に対して回動自在に軸支されることになり、ヒンジ機構で容器の取出口を開閉することが可能となる。
【０００４】
【特許文献１】特開２００４−２６２４６１号公報
【特許文献２】特開２００８−１０５７４６号公報
【発明の開示】
【発明が解決しようとする課題】
【０００５】
しかしながら、従来の蓋付き容器では、開かれた状態の蓋に、蓋の最大開度を超えて押し開かれる過大な荷重がかかった場合、例えば、乳幼児等が誤って開いた蓋の上に乗ってしまった場合等に、蓋の軸体に過大な荷重が作用して蓋の軸体や軸体の周辺部分が破損するという問題があった。
【課題を解決するための手段】
【０００６】
本発明者は、前記のような従来技術の課題を解決するために鋭意検討した結果、従来の蓋付き容器においては、蓋の軸体が容器の軸受け孔に嵌合されたままの状態で、蓋が過大な荷重を受けるため、脆弱部位である軸体や軸体の周辺部が破損に至るという知見を得た。
【０００７】
そこで、本発明者は、開かれた状態の蓋に、蓋の最大開度を超えて押し開かれる過大な荷重がかかった場合には、軸受け孔から軸体が外れ、容器から蓋を脱離させる構造とすることで、軸体や軸体の周辺部の破損を防止可能であることに想到し、本発明を完成させた。具体的には、本発明により、以下の蓋付き容器が提供される。
【０００８】
［１］  被収納物が収納される内部空間及び前記被収納物の取出口が形成された容器と、前記容器に対して回動自在に軸支され、ヒンジ機構で前記取出口を開閉可能とする蓋と、を備え、前記蓋は、蓋本体を前記容器に連結させる連結部と、前記連結部に突設された、前記ヒンジ機構を構成する一対の軸体と、を有し、前記容器には、前記軸体が回動自在に嵌合される軸受け孔と、前記蓋が開かれた際に前記蓋と当接して前記蓋の最大開度を決定する当接部と、が形成され、前記軸体には、その先端部に軸方向に対して傾斜する傾斜面が形成され、前記軸体は、前記傾斜面が前記軸受け孔の開口端に位置し、かつ、前記蓋に対して前記蓋の最大開度を超えて押し開かれる力が加わった際に、前記容器の前記当接部を支点として前記軸体に作用する力の作用方向に前記傾斜面が向くように、前記軸受け孔に嵌合されており、前記連結部は、その一部が弾性材料からなる薄板によって構成され、前記蓋に対して前記力が加わった際に、弾性的に撓み変形するように構成されている蓋付き容器。
【０００９】
［２］  前記連結部が、前記薄板によって構成され、弾性的に撓み変形するように構成された連結板部と、前記連結板部の側縁に起立するように連設された一対の支持板部と、を有し、前記軸体が、前記支持板部に突設されている前記［１］に記載の蓋付き容器。
【００１０】
［３］  前記連結部は、前記連結板部と前記支持板部とのコーナーに配置された、前記支持板部を補強する補強リブを備えている前記［２］に記載の蓋付き容器。
【００１１】
［４］  前記蓋は、その裏面にキャラクターが表示されている前記［１］〜［３］のいずれかに記載の蓋付き容器。
【発明の効果】
【００１２】
本発明の蓋付き容器は、開かれた状態の蓋に、蓋の最大開度を超えて押し開かれる過大な荷重がかかった場合（例えば、乳幼児等が誤って開いた蓋の上に乗ってしまった場合等）でも、蓋の軸体や軸体の周辺部分が破損する事態を有効に防止することができる。
【発明を実施するための最良の形態】
【００１３】
以下、本発明の蓋付き容器を実施するための最良の形態について、乳幼児用払拭シートを収納するための蓋付き容器の例により具体的に説明する。但し、本発明はその発明特定事項を備える蓋付き容器（例えば、ウエットティシュ用蓋付き容器等）を広く包含するものであり、以下の実施形態に限定されるものではない。
【００１４】
［１］定義等：
「蓋付き容器」とは、図３Ａ〜図３Ｃに示す蓋付き容器１のように、被収納物が収納される内部空間４及び被収納物の取出口６が形成された容器２と、容器２に対して回動自在に軸支され、ヒンジ機構で取出口６を開閉可能とする蓋８と、を備えた容器を意味するものとする。
【００１５】
［２］本発明の蓋付き容器の構成：
本発明の蓋付き容器は、図１Ａ及び図１Ｂに示す蓋付き容器１のように、蓋８は、蓋本体を容器２に連結させる連結部８ｂと、連結部８ｂに突設された、ヒンジ機構を構成する一対の軸体１０と、を有している。一方、容器２には、軸体１０が回動自在に嵌合される軸受け孔１２と、蓋８が開かれた際に蓋８と当接して蓋８の最大開度θ１を決定する当接部１４と、が形成されている。また、軸体１０には、その先端部に軸方向に対して傾斜する傾斜面１０ａが形成されている。
【００１６】
そして、本発明の蓋付き容器は、図２Ａ及び図２Ｂに示すように、軸体１０は、傾斜面１０ａが軸受け孔１２の開口端に位置し、かつ、蓋８に対して蓋８の最大開度θ１を超えて押し開かれる力Ｆ１が加わった際に、容器２の当接部１４を支点として軸体１０に作用する力Ｆ２の作用方向に傾斜面１０ａが向くように、即ち、傾斜面１０ａが軸受け孔１２の開口端に押圧されるように軸受け孔１２に嵌合されており、容器２の連結部８ｂは、その一部が弾性材料からなる薄板によって構成され、蓋８に対して力Ｆ１が加わった際に、傾斜面１０ａの作用により弾性的に撓み変形するように構成されている点に特徴がある。
【００１７】
本発明の蓋付き容器は、図１Ａ及び図１Ｂに示すように、蓋８の開度が０°から最大開度θ１に至るまでの間（即ち、蓋８が閉まった状態から全開状態に至るまでの間）は、軸体１０に対して軸体１０を軸受け孔１２に押圧する力は殆ど加わらない。従って、軸体１０は軸受け孔１２の内部に納まったままスムーズに回動し、軸受け孔１２からも抜け難い状態となっている。
【００１８】
一方、蓋に対して蓋の最大開度を超えて押し開かれる力が加わった際には、以下の機構により、軸体が軸受け孔から外れ、容器から蓋が脱離する。即ち、図２Ａに示すように、蓋８に対して蓋８の最大開度θ１を超えて押し開かれる力Ｆ１が加わると（力点Ｐ１）、当接部１４を支点Ｐ２とするモーメントによって軸体１０（作用点Ｐ３）に力Ｆ２が作用する。この力Ｆ２によって軸体１０は上方に押し上げられ、軸受け孔１２の開口端に押圧される。
【００１９】
特に、本発明の蓋付き容器では、図１Ｂ及び図２Ｂに示すように、軸体１０は、傾斜面１０ａが軸受け孔１２の開口端に位置し、かつ、蓋８に対して蓋８の最大開度θ１を超えて押し開かれる力Ｆ１が加わった際に、容器２の当接部１４を支点Ｐ２として軸体１０に作用する力Ｆ２の作用方向に傾斜面１０ａが向くように、即ち、傾斜面１０ａが軸受け孔１２の開口端に押圧されるように軸受け孔１２に嵌合されている。従って、力Ｆ２によって、軸体１０の傾斜面１０ａが軸受け孔１２の開口端に強く押圧される。また、力Ｆ２は軸体１０を上方へ押し上げるように作用しているから、軸体１０は傾斜面１０ａの滑り効果によって軸受け孔１２から外れ易くなる。
【００２０】
そして、図２Ｂに示すように、軸体１０の傾斜面１０ａが軸受け孔１２の開口端に強く押圧されると、傾斜面１０ａの作用により、連結部８ｂに一対の軸体１０の間隔を狭めるような方向の力Ｆ３が作用する。軸体１０が突設されている連結部８ｂは弾性材料で構成されているため、力Ｆ３によって弾性的に撓み変形し、これにより、軸体１０が軸受け孔１２から外れる。
【００２１】
以上説明したように、図２Ａに示す軸体１０を上方へ押し上げる力Ｆ２と、図２Ｂに示す傾斜面１０ａの滑り効果及び連結部８ｂの撓み効果とが相俟って軸体１０が軸受け孔１２から外れ、容器２から蓋８が脱離する。
【００２２】
前記のように、本発明の蓋付き容器は、開かれた状態の蓋に、蓋の最大開度を超えて押し開かれる過大な荷重がかかった場合には、軸体は軸受け孔から外れ、容器から蓋が脱離する。従って、乳幼児等が誤って開いた蓋の上に乗ってしまった場合等でも、蓋の軸体や軸体の周辺部が破損する事態を有効に防止することができる。
【００２３】
［２−１］容器：
図３Ａ〜図３Ｃに示すように、本発明の蓋付き容器１は、被収納物が収納される内部空間４及び被収納物の取出口６が形成された容器２を備える。
【００２４】
図３Ａ〜図３Ｃに示す蓋付き容器１は、略ドーム形状を呈する容器２を備えており、その天面に取出口６が形成されている。但し、被収納物を収納し得る内部空間及び被収納物の取出口が形成されている限り、容器の形状は特に限定されない。例えば、立方体、直方体等の箱状体の天面に取出口を形成した形状等であってもよい。
【００２５】
また、容器は単一の部材で形成されている必要はなく、２以上の部材によって形成されていてもよい。例えば、図３Ａ〜図３Ｃに示す蓋付き容器１は、ドーム状を呈する容器本体２ａと底蓋２ｂの２つの部材から容器２が形成されている。容器本体２ａの下端側には容器本体２ａの全周に渡って爪部が形成され、底蓋２ｂには前記爪部に係合する凹部が形成されている。前記爪部と前記凹部の係合によって、底蓋２ｂが容器本体２ａに対して着脱可能に取り付けられている。
【００２６】
図１Ａ及び図１Ｂに示すように、容器２には、蓋８の軸体１０が回動自在に嵌合される軸受け孔１２が形成される。この軸受け孔１２に蓋８の軸体１０が嵌合されることでヒンジ機構が形成され、蓋８を繰り返し開閉することが可能となる。軸受け孔１２は、軸体１０をスムーズに回動させるよう、その内部空間を円柱状に形成することが一般的である。
【００２７】
また、図１Ａに示すように、容器２には、蓋８が開かれた際に蓋８と当接して蓋８の最大開度θ１を決定する当接部１４が形成されている。前記のように、蓋はヒンジ機構で回動可能に構成されているが、図４Ａ〜図４Ｃに示すように、蓋８の一部が容器２の一部と当接することで蓋８の最大開度θ１が決定され、蓋８の開度が制限される。図１Ａに示す蓋付き容器１では、容器２の背面側に凹部が形成され、その凹部が当接部１４として機能している。蓋８は、連結部８ｂが容器２の当接部１４に当接することで、最大開度θ１を超えて開かないように構成されている。図１Ａに示す蓋付き容器１では、最大開度θ１が９３°となるように構成されている。
【００２８】
更に、容器は、蓋を閉じた状態でロックし、また、蓋を閉じた状態から開いた状態に跳ね上げる開閉機構を備えていてもよい。例えば、図３Ａ及び図３Ｂに示す蓋付き容器１は、蓋８の正面側に爪部を有しており、容器２の正面側に形成された爪部と係合するように構成されている。蓋８の爪部と容器２の爪部とを係合させることで、蓋８を閉じた状態でロックすることができる。
【００２９】
また、図３Ａ及び図３Ｂに示す蓋付き容器１は、容器２の正面側にプッシュボタン１６を備えている。プッシュボタン１６は、側縁側に一対の軸体１８が突設され、背面側には蓋８の下側に差し込まれる跳ね上げ板が連設されている。軸体１８は容器２に形成された軸受け孔１２に回動自在に嵌合され、プッシュボタン１６は蓋８と同様のヒンジ機構で容器２に軸支されている。
【００３０】
前記の構造では、蓋８が閉じた状態のときに、プッシュボタン１６を押し下げると、これに連動して跳ね上げ板が蓋８を跳ね上げる。この跳ね上げによって、蓋８の爪部と容器２の爪部との係合状態が解除され、蓋８が閉じた状態から開いた状態に跳ね上げられる。
【００３１】
なお、図３Ａ及び図３Ｂに示す蓋付き容器１においては、蓋８と容器２の間に（具体的には、蓋８の連結部８ｂ近傍に）、図示されないねじりコイルバネが挟みこまれている。ねじりコイルバネは、前記跳ね上げ板による蓋８の跳ね上げを補助するとともに、蓋８を開いた状態で維持する効果を奏するものである。
【００３２】
なお、本発明の蓋付き容器においては、被収納物の種類は特に限定されない。但し、ティシュペーパー、ウエットティシュ、払拭シート（乳幼児用のお尻拭きシート等）をはじめとする家庭用衛生用紙を被収納物とすることが好ましい。
【００３３】
［２−２］蓋：
本発明の蓋付き容器は、図３Ａ〜図３Ｃに示すように、容器２に対して回動自在に軸支され、ヒンジ機構で取出口６を開閉可能とする蓋８を備えている。
【００３４】
図３Ｂ及び図３Ｃに示すように、蓋８は、蓋本体８ａを容器２に連結させる連結部８ｂと、連結部８ｂに突設された、ヒンジ機構を構成する一対の軸体１０と、を有している。
【００３５】
図３Ａ〜図３Ｃに示す蓋付き容器１は、容器２より曲率が小さいドーム形状を呈する蓋本体８ａと、蓋本体８ａから斜め下方向に突出する連結部８ｂと、連結部８ｂに突設された一対の軸体１０を有する蓋８を備えている。但し、容器２の取出口６を開閉可能である限り、蓋本体８ａの形状は特に限定されない。例えば、容器が立方体、直方体等の箱状体である場合には、その天面に、平板状の蓋本体を有する蓋を備えていてもよい。
【００３６】
図３Ａ〜図３Ｃに示す蓋付き容器１は、連結部８ｂに突設された、ヒンジ機構を構成する一対の軸体１０を有している。本発明の蓋付き容器においては、図２Ｃに示すように、軸体１０には、その先端部に軸方向に対して傾斜する傾斜面１０ａが形成されている。傾斜面１０ａの傾斜角θ２は軸体１０の中心軸と直交する面に対して４５〜６０°の傾斜角であることが好ましい。４５°未満であると、傾斜角θ２が小さすぎるために本発明の効果を得ることができない場合がある。一方、６０°を超えると、傾斜角θ２が大きすぎるために蓋が意図せず外れてしまうおそれがある。
【００３７】
更に、本発明の蓋付き容器では、図１Ａ及び図１Ｂ、図２Ａ及び図２Ｂに示すように、軸体１０は、傾斜面１０ａが軸受け孔１２の開口端に位置するように、軸受け孔１２に嵌合されている。即ち、図１Ｂに示すように、傾斜面１０ａの一部が軸受け孔１２からはみ出すように、軸受け孔１２に嵌合されている。軸体１０をこのような位置に嵌合させると、蓋８に対して蓋８の最大開度θ１を超えて押し開かれる力Ｆ１が加わった際に、軸体１０の傾斜面１０ａが軸受け孔１２の開口端に押圧される。従って、軸体１０が軸受け孔１２から外れ易くなり、ひいては容器２から蓋８を脱離させ易くなる。
【００３８】
図１Ｂに示すように、連結部８ｂは、薄板によって構成され、蓋８に対して力Ｆ１が加わった際に、弾性的に撓み変形するように構成された連結板部と、連結板部の側縁に起立するように連設された一対の支持板部と、を有し、軸体１０が、支持板部に突設されているものが好ましい。即ち、図１Ｂに示すように、連結部８ｂが断面コの字型の構造であることが好ましい。
【００３９】
前記構造においては、連結板部に対して支持板部の曲げ強度が大きくなるように構成されていることが好ましい。このような構成では、支持板部が撓み難い一方で、連結板部が撓み易くなる。従って、図２Ａ及び図２Ｂに示すように、蓋８に対して蓋８の最大開度θ１を超えて押し開かれる力Ｆ１が加わった際に、連結板部が大きく撓み、その撓みの大きさに応じて軸体１０が軸受け孔１２からより一層外れ易くなる。
【００４０】
支持板部の曲げ強度を大きくする構造としては、図１Ｂ及び図２Ｂに示すように、連結板部と支持板部とのコーナーに、支持板部を補強する補強リブ２０を配置する構造が好ましい。
【００４１】
例えば、図１Ｂ及び図２Ｂに示す蓋付き容器１は、連結板部から垂直に起立する支持板部を備えており、連結板部と支持板部とのコーナーに合わせて三角形の隅板を配置し、この隅板を補強リブ２０としている。この補強リブ２０は、支持板部を内側に向かって撓まないように補強して、撓みを連結板部に集中させ、連結板部をより大きく撓ませる効果を奏する。
【００４２】
但し、支持板部の曲げ強度を大きくする構造は、補強リブを付設する構造に限定されるものではなく、例えば、支持板部を連結板部に比して肉厚とする構造であってもよい。
【００４３】
なお、連結部を構成する「弾性材料」は、ゴムのような高弾性を有する材料である必要はなく、弾性的に撓み変形可能な材料であれば足りる。本発明においては、プラスチックの板状体を好適に用いることができる。より具体的には、ポリエチレン、ポリプロピレン、ＡＢＳ樹脂等の合成樹脂を材料とし、所望の連結部形状に成形した薄肉の成形品（厚さ１〜１．２ｍｍ程度）等を好適に用いることができる。
【００４４】
蓋は、その裏面にキャラクターが表示されていることが好ましい。こうすることにより、容器の蓋を開ける度に、蓋の裏面のキャラクターが表われるため、意匠性に優れる。なお、「キャラクター」には、アニメーションの登場人物の他、文字、記号、図形、模様等を含む。「表示」は、蓋の裏面に直接印刷等されていてもよいし、キャラクターが表示されたラベルが貼着されていてもよい。例えば、乳幼児の顔写真が印刷されたラベルを貼着した形態等も含まれる。
【実施例】
【００４５】
本発明の蓋付き容器について、図面を参照しながら更に具体的に説明する。但し、本発明の蓋付き容器は、その発明特定事項を備えた蓋付き容器を全て包含するものであり、以下の実施例に限定されるものではない。
【００４６】
〔実施例１〕
実施例１の蓋付き容器として、図３Ａ〜図３Ｃに示すような略ドーム形状の蓋付き容器１を製造した。蓋付き容器１は、容器２と蓋８を備え、容器２は容器本体２ａと底蓋２ｂの２つの部材によって構成されている。容器２は、底面形状が長径２２５ｍｍ、短径１３５ｍｍの楕円形状、高さが７５ｍｍの略ドーム状とした。容器本体２ａはポリプロピレン樹脂、底蓋２ｂはポリエチレン樹脂、蓋８はポリプロピレン樹脂及びＡＢＳ樹脂により構成した。
【００４７】
被収納物としては、１４０×１８８ｍｍの乳幼児用の払拭シート（ウエットタイプのお尻拭きシート）を想定した。容器２の内部空間４には、前記払拭シートを折り畳んだ状態で７０枚収納することができる。
【００４８】
容器２の天面には、直径１０ｍｍφの２つの円がくびれ部を介して結合された亜鈴状の取出口６が形成されている。
【００４９】
図３Ｃに示すように、容器２には、その背面側に凹部を形成し、その凹部内壁に内径２．９ｍｍ、深さ２ｍｍの有底の軸受け孔を形成した。この凹部は、蓋８と当接して蓋８の最大開度を決定する当接部１４としても機能する。本実施例においては、図１Ａに示すように、蓋８を開いた際に、蓋８の一部が当接部１４に当接し、それ以上開かないように構成した。この実施例では、蓋８の最大開度θ１を９３°に設定した。
【００５０】
図３Ｂ及び図３Ｃに示すように、蓋８は、底面側が７０ｍｍφの円形状で、高さが１８ｍｍの略ドーム状とし、その内部は中空構造とした。図１Ｂに示すように、連結部８ｂは蓋本体８ａから幅４０ｍｍの板状体（連結板部）を突出させ、その両側縁に支持板部を起立させる構造とした。連結板部及び支持板部の肉厚は１ｍｍとし、弾性的に撓み変形するように構成した。
【００５１】
また、図１Ｂ及び図２Ｃに示すように、連結板部と支持板部とのコーナーに合わせて三角形の隅板を配置し、この隅板を補強リブ２０とした。この補強リブ２０は、各片が７ｍｍ、９ｍｍ、１３ｍｍの三角形状であり、肉厚は連結板部、支持板部と同じ１ｍｍとした。蓋８は、蓋本体８ａ及び連結部８ｂ（連結板部、支持板部、軸体１０、補強リブ２０を含む。）をポリプロピレン樹脂による一体成形で製造した。なお、蓋本体８ａも肉厚は１ｍｍとした。
【００５２】
図１Ｂ及び図２Ｃに示すように、連結部８ｂの支持板部には一対の軸体１０を突設した。軸体１０は、長さは１ｍｍ、直径２ｍｍφの円柱状で、その先端部に軸方向に対して傾斜する傾斜面１０ａを形成した。傾斜角θ２は、４５°とした。
【００５３】
図１Ａに示すように、蓋８が全開されて最大開度θ１（９３°）をとったとき、軸体１０の傾斜面１０ａが同じく９３°の方向を向くように傾斜面１０ａを形成した。そして、図１Ｂに示すように、軸体１０は、傾斜面１０ａが軸受け孔１２の開口端に位置するように、軸受け孔１２に嵌合させた。
【産業上の利用可能性】
【００５４】
本発明の蓋付き容器は、ティシュペーパー、ウエットティシュ、払拭シート（乳幼児用のお尻拭きシート等）をはじめとする家庭用衛生用紙を被収納物とする蓋付き容器、特に密閉性を要するウエットタイプの衛生用紙を被収納物とする蓋付き容器として好適に用いることができる。
【図面の簡単な説明】
【００５５】
【図１Ａ】本発明の蓋付き容器の一の実施形態を示す図であり、蓋を開いた状態を模式的に示す概略側面図である。
【図１Ｂ】図１Ａに示す蓋付き容器の軸体近傍を拡大して模式的に示す概略正面図である。
【図２Ａ】本発明の蓋付き容器の使用状態を示す図であり、蓋を開いた状態の軸体近傍を拡大して模式的に示す概略側面図である。
【図２Ｂ】図２Ａに示す蓋付き容器の軸体近傍を拡大して模式的に示す概略正面図である。
【図２Ｃ】図２Ａに示す蓋付き容器の軸体近傍を拡大して模式的に示す別の概略正面図である。
【図３Ａ】本発明の蓋付き容器の一の実施形態を模式的に示す概略正面図である。
【図３Ｂ】図３Ａに示す蓋付き容器のＡ−Ａ’断面を模式的に示す概略断面図である。
【図３Ｃ】図３Ａに示す蓋付き容器を模式的に示す概略背面図である。
【図４Ａ】図３Ａに示す蓋付き容器の蓋を開いた状態を模式的に示す概略正面図である。
【図４Ｂ】図４Ａに示す蓋付き容器のＡ−Ａ’断面を模式的に示す概略断面図である。
【図４Ｃ】図４Ａに示す蓋付き容器を模式的に示す概略背面図である。
【符号の説明】
【００５６】
１：蓋付き容器、２：容器、２ａ：容器本体、２ｂ：底蓋、４：内部空間、６：取出口、８：蓋、８ａ：蓋本体、８ｂ：連結部、１０：軸体、１０ａ：傾斜面、１２：軸受け孔、１４：当接部、１６：プッシュボタン、１８：軸体、２０：補強リブ、θ１：最大開度、θ２：傾斜角、Ｆ１，Ｆ２，Ｆ３：力、Ｐ１：力点、Ｐ２：支点、Ｐ３：作用点。
【図１Ａ】
2010052796.tif 000003
【図１Ｂ】
2010052796.tif 000004
【図２Ａ】
2010052796.tif 000005
【図２Ｂ】
2010052796.tif 000006
【図２Ｃ】
2010052796.tif 000007
【図３Ａ】
2010052796.tif 000008
【図３Ｂ】
2010052796.tif 000009
【図３Ｃ】
2010052796.tif 000010
【図４Ａ】
2010052796.tif 000011
【図４Ｂ】
2010052796.tif 000012
【図４Ｃ】
2010052796.tif 000013